(57)【要約】      （修正有）【課題】大きな前進推力で水平方向に移動することができ、風の影響を受ける環境でも所望の方向や位置に精度よく水平移動したり、ホバリングしたりすることが容易な小型の二重反転回転翼機を提供する。【解決手段】機体本体２１と、上部メインロータ２２および下部メインロータ２３と、主回転軸に対して傾動自在に支持されるスタビライザバー２４と、スタビライザバーと上部メインロータとを連結するリンクロッド３１とを備え、機尾側ダクト近傍に取り付けられ、上方に向けて延びる副回転軸に支持されるピッチングプロペラ４２と、前傾姿勢を水平姿勢に戻そうとする上部メインロータ２２のサイクリックピッチによって左右いずれか一方向に旋回しようとする機体に対し、下部メインロータ２３のブレードに与えるサイクリックピッチによるローリングモーメントの制御により、左右の旋回力をバランスさせて直進飛行を行わせるロータ制御部を備える。【選択図】図１
2008094277.tif 000002
【特許請求の範囲】
【請求項１】
上方と下方とが開口し側方が全周にわたってダクトで囲われた機体本体と、機体本体から上方に延びる主回転軸に沿って同軸上に支持され、主回転軸の回りを互いに反対方向に回転する上部メインロータおよび下部メインロータと、
慣性モーメントを大きくするための錘が両端に装着された棒状体からなり、棒状体の中心が主回転軸の上端において主回転軸に対して傾動自在に支持されるスタビライザバーと、
スタビライザバーが上部メインロータのブレードに対して適宜な交差角度を保ってブレードと一体に回転し得るように、スタビライザバーと上部メインロータとを連結するリンクロッドとを備え、
飛行中に慣性モーメントにより水平に維持しようとするスタビライザバーの回転面に対して上部メインロータの回転面が傾斜したときに、リンクロッドが上部メインロータのブレードに入力するサイクリックピッチによって、上部メインロータの回転面を水平に戻そうとする復元力を発生させるようにした二重反転回転翼機において、
機尾側ダクト近傍に取り付けられ、上方に向けて延びる副回転軸に支持されるピッチングプロペラと、
ピッチングプロペラにより機体重心周りの頭下げモーメントを与えて機体を前傾姿勢で飛行させるときに、前傾姿勢を水平姿勢に戻そうとする上部メインロータのサイクリックピッチ入力によって左右いずれか一方向に旋回しようとする機体に対し、下部メインロータのブレードに入力するサイクリックピッチによるローリングモーメントの制御、および、上部メインロータと下部メインロータとの回転速度を変化させてヨー方向のトルクを発生することによるヨーイングモーメントの制御により、機体を前記一方向と逆方向に旋回させるための旋回力を与えて左右の旋回力をバランスさせて直進飛行を行わせるロータ制御部を備えたことを特徴とする二重反転回転翼機。
【請求項２】
ロータ制御部が下部メインロータのブレードに入力するサイクリックピッチによるローリングモーメント、および、上部メインロータと下部メインロータとの回転速度を変化することにより与える逆方向の旋回力の大きさは、ピッチングプロペラの回転速度に応じて比例制御（Ｐ制御）されることを特徴とする請求項１に記載の二重反転回転翼機。
【請求項３】
上方と下方とが開口し側方が全周にわたってダクトで囲われた機体本体と、機体本体から上方に延びる主回転軸に沿って同軸上に支持され、主回転軸の回りを互いに反対方向に回転する上部メインロータおよび下部メインロータと、
慣性モーメントを大きくするための錘が両端に装着された棒状体からなり、棒状体の中心が主回転軸の上端において主回転軸に対して傾動自在に支持されるスタビライザバーと、
スタビライザバーが上部メインロータのブレードに対して適宜な交差角度を保ってブレードと一体に回転し得るように、スタビライザバーと上部メインロータとを連結するリンクロッドとを備え、
飛行中に慣性モーメントにより水平に維持しようとするスタビライザバーの回転面に対して上部メインロータの回転面が傾斜したときに、リンクロッドが上部メインロータのブレードに入力するサイクリックピッチによって、上部メインロータの回転面を水平に戻そうとする復元力を発生させるようにした二重反転回転翼機において、
機尾側ダクト近傍に取り付けられ、上方に向けて延びる副回転軸に支持されるピッチングプロペラと、
目標地点の空間座標を記憶する目標地点情報記憶部と、
機体に取り付けたＧＰＳ受信機からのＧＰＳ信号により現在地点の空間座標のうち少なくとも水平成分を検出する現在地点検出部と、
目標地点の空間座標の水平成分と現在地点の空間座標の水平成分とに基づいて、機体を移動させようとする水平方向の目標方位および目標地点までの水平距離を算出する水平変位算出部と、
機首の現在の方位を検出する方位センサと、
上部メインロータおよび下部メインロータの回転速度を変化させることにより機首の現在方位が水平方向の目標方位に向くように制御するヨー角コマンドを発生するとともに、ピッチングプロペラの回転速度を目標地点までの水平距離に比例するように変化させて上部メインロータおよび下部メインロータによる水平方向の推力を制御することにより機体の水平方向の位置を制御する水平位置コマンドを発生するロータ制御部を備え、
さらにロータ制御部は、ピッチングプロペラにより機体を前傾姿勢で飛行させるときに、前傾姿勢を水平姿勢に戻そうとする上部メインロータのサイクリックピッチ入力によって左右いずれか一方向に旋回しようとする機体に対し、下部メインロータのブレードに入力するサイクリックピッチによるローリングモーメントの制御、および、上部メインロータと下部メインロータとの回転速度を変化させてヨー方向のトルクを発生することによるヨーイングモーメントの制御を行うことにより、機体を前記一方向と逆方向に旋回させるための旋回力を与えて左右の旋回力をバランスさせて直進飛行を行わせることを特徴とする二重反転回転翼機。
【請求項４】
機体に取り付けた高度計からの高度信号により現在地点の空間座標の高度成分を検出する現在高度検出部と、
目標地点の空間座標の高度成分と現在地点の空間座標の高度成分とに基づいて高度差を算出する垂直変位算出部とをさらに備え、
ロータ制御部は、ヨー角コマンドと水平位置コマンドの発生に加えて、上部メインロータおよび下部メインロータの回転速度を変化させることにより機体の現在高度が目標高度に一致するように制御する高度コマンドを発生することを特徴とする請求項３に記載の二重反転回転翼機。
【発明の詳細な説明】
【技術分野】
【０００１】
本発明は、回転軸に沿って同軸上に配設され、互いに反対方向に回転する上下２つのメインロータで飛行する二重反転回転翼機に関し、さらに詳細には、風の影響を受ける環境でも大きな推力で安定して前進飛行させることができる無人用の小型二重反転回転翼機に関する。
【背景技術】
【０００２】
小型回転翼機は、固定翼機に比べて離着陸の際に広い面積を必要としない点やホバリング（空中停止）が可能である点等の優れた利点があり、ホビー用のラジコンヘリコプタのみならず、上空からの観測等を目的とした無人航空機（ＵＡＶ（Unmanned Aerial Vehicle））として利用されている。
従来から利用されている小型回転翼機の基本構造としては、機体上部に設けた単一のメインロータと、メインロータの回転により発生する機体水平方向（ヨー方向）のトルクを打ち消し、機首の方向制御を行う垂直ロータとを有するシングルロータ型のヘリコプタが一般的である。
【０００３】
シングルロータ型ヘリコプタは、メインロータおよび機尾の垂直ロータ（テールロータ）の制御が比較的容易であるという特徴を有しているが、飛翔中は常時、揚力の発生に寄与しない垂直ロータにエンジン出力の一部を供給しなければならない。また、垂直ロータが回転する範囲は、機体の比較的低い位置まで含まれることから、離着陸時に機体のバランスを崩して機尾が下がってしまうと、垂直ロータが地面や地上の物体に接触してしまう危険性がある。
【０００４】
これに対し、基本構造が異なる小型回転翼機のひとつとして、互いに反対方向に回転する上部メインロータと下部メインロータとを、同軸上に配することにより、これら２つのメインロータの回転で強い揚力を発生するとともに、ヨー方向のトルクの相殺を同時に実現し、これにより垂直ロータを不要にした二重反転回転翼機が開発されている。二重反転回転翼機は、シングルロータ型と比べて、同一揚力を得るためのロータ直径を小さくすることができる。
【０００５】
その一方で、二重反転回転翼機では、垂直ロータが存在しないことから、垂直ロータ以外で機首の方向制御を行わなければならない。そのため、例えば、上下のメインロータそれぞれにロータブレードのピッチ角調整機構（スワッシュプレート）を設け、上下２つのメインロータのブレードのピッチ角を同時に逆方向に変化させ、揚力の総和を一定に保ちながら水平方向のトルクのバランスを崩すことにより、方向制御を行うことが開示されている（特許文献１参照）。
【０００６】
また、二重反転回転翼を配したインドア用のヘリコプタにおいて、安定したホバリング性能、操縦の安全性を確保することを目的として、二重反転回転翼の上部メインロータに連動するスタビライザバーを備えたヘリコプタが開示されている（特許文献２参照）。すなわち、マスト（ロータ回転軸）に取り付けられた上部メインロータと、マストの上端にマストに対して傾動自在に取り付けられ、上部メインロータのブレード傾動機構に対してリンクロッドを介して適宜な交差角度をなすように連結され、上部メインロータと連動して回転するように取り付けられたスタビライザバーとを備えたものが開示されている（特許文献２参照）。
【０００７】
図７は、スタビライザバーによる姿勢安定化作用を説明する模式図である。機体が水平姿勢でホバリングしているとき、図７（ａ）に示すように、スタビライザバー１０１は、遠心力が働くことにより、回転面が水平になるように回転している。スタビライザバー１０１には、慣性モーメントが大きくなるようにバー両端に錘１０２が取り付けてあり、その結果、スタビライザバー１０１の回転面は、水平を維持しようとする傾向が強くなっている。何らかの理由で機体が傾斜すると、図７（ｂ）に示すように、水平状態を維持しようとするスタビライザバー１０１の回転面に対し、上部メインロータ１０３（および下部メインロータ１０４）の回転面は機体とともに傾くようになるが、このときリンクロッド１０５が作動して上部メインロータ１０３を傾け、これによりスタビライザバー１０１と上部メインロータ１０３とが平行になるように戻そうとするサイクリックピッチが上部メインロータに入力されるようにしてある。すなわち、外部からの電気的な制御信号による積極的なコントロールを行わずに、スタビライザバーに働く遠心力によって、機械的に上部メインロータに対し、上部メインロータの回転面を水平に戻そうとする作用を生じさせるようにしている。
したがって、外的要因で機体が傾いた場合にスタビライザバー１０１は水平を保ち、スタビライザバー１０１に対して傾いた上部メインロータ１０３が機体の姿勢を水平に修正するような修正陀としての機能を発揮して、機体を水平姿勢に戻すような復元力が発生するようにしてある。
【０００８】
また、上下２つの水平回転翼の下方に、２つの回転翼によって生じる下降流を受ける投影面積が調整自在の面積調整手段の制御によって、上昇、前進などの操作ができる遠隔操作の自在な無人小型飛翔体が開示されている（特許文献３参照）。
この発明では、さらに、２つの水平回転翼（メインロータ）の回転軸に対し、軸対称の筒を、水平回転翼（メインロータ）を覆うカバーとして備えるようにすることも開示されている。すなわち、二重反転式の水平回転翼を有した飛翔体に、水平回転翼の側面を覆うカバーを設けることで、従来のヘリコプタのように構造が複雑にならずに、安全に運転することが可能になることが開示されている。
【特許文献１】特開平１−１０１２９７号公報
【特許文献２】特許第３７２３８２０号公報
【特許文献３】特開平１１−１１５８９６号公報
【発明の開示】
【発明が解決しようとする課題】
【０００９】
二重反転回転翼を用いた構造の小型回転翼機は、様々な分野において潜在的な需要があるものの、これまで、あまり利用されることはなかった。その大きな理由は、風等の抵抗の影響を受ける環境では、安定かつ制御性のよい飛行を行うことが困難であったことによる。一般に、飛翔体は小型化するほど、風等による抵抗の影響を強く受け、所望の位置に移動したり、一定位置にホバリング（空中停止）したりするための制御をすることが困難になる。
【００１０】
特に、小型二重反転回転翼機では、自重に対する上向き推力、風等の抵抗に対抗する推力、姿勢制御するためのモーメント発生の３つの役割を二重反転回転翼が担わなければならない。しかしながら、二重反転回転翼機の構造上、二重反転回転翼の回転により生じる推力は、水平方向に向かう推力に比べて垂直上方に向かう推力の比がはるかに大きい。二重反転回転翼に取付けられたブレードのピッチ角を制御し、いわゆるサイクルピッチを与えることで、水平方向の推力を発生させることができるが、サイクルピッチによって生じる推力だけでは、横風の抵抗に十分に打ち勝つことはできない。そのため、機体が風に流されてしまうこととなった。したがって、小型の二重反転回転翼機は、風の影響の少ないインドアでの利用等に制約されていた。
【００１１】
風の影響を受けた場合でも、二重反転回転翼機の姿勢安定性を高めるために、特許文献２に記載されているような、上部メインロータとスタビライザバーとをリンクロッドにより連結する方法は、有効な対策方法である。
しかしながら、姿勢安定性を高めることはできたとしても、風に流されることなく大きな推力で飛行させることは困難である。
【００１２】
また、上部メインロータにスタビライザバーを連結することにより、姿勢安定性を改善させることができてホバリング状態等で姿勢を水平に維持できる反面、機体を意識的に傾斜（前傾）させようとする際に、スタビライザバーを取り付けたことにより、水平に戻す復元作用とともに、左右いずれか一方に旋回させる作用が働いてしまう結果、かえって前進飛行を行う際に所望の方向へまっすぐに飛行させることが困難になる事態が生じた。
【００１３】
そこで、本発明は二重反転回転翼機であっても、これまでの機体に比べて十分に大きな前進推力で水平方向に移動することができ、風の影響を受ける環境でも、大きな推力で風に対抗しつつ所望の方向や位置に飛行することができる小型の二重反転回転翼機を提供することを目的とする。
また、本発明は前進飛行の際に、スタビライザバーの存在によって生じる飛行方向に関する課題を解消するようにした小型の二重反転回転翼機を提供することを目的とする。
【課題を解決するための手段】
【００１４】
上記課題を解決するためになされた本発明の二重反転回転翼機は、上方と下方とが開口し側方が全周にわたってダクトで囲われた機体本体と、機体本体から上方に延びる主回転軸に沿って同軸上に支持され、主回転軸の回りを互いに反対方向に回転する上部メインロータおよび下部メインロータと、慣性モーメントを大きくするための錘が両端に装着された棒状体からなり、棒状体の中心が主回転軸の上端において主回転軸に対して傾動自在に支持されるスタビライザバーと、スタビライザバーが上部メインロータのブレードに対して適宜な交差角度を保ってブレードと一体に回転し得るように、スタビライザバーと上部メインロータとを連結するリンクロッドとを備え、飛行中に慣性モーメントにより水平に維持しようとするスタビライザバーの回転面に対して上部メインロータの回転面が傾斜したときに、リンクロッドが上部メインロータのブレードに入力するサイクリックピッチによって、上部メインロータの回転面を水平に戻そうとする復元力を発生させるようにした二重反転回転翼機において、機尾側ダクト近傍に取り付けられ、上方に向けて延びる副回転軸に支持されるピッチングプロペラと、ピッチングプロペラにより機体重心周りの頭下げモーメントを与えて機体を前傾姿勢で飛行させるときに、前傾姿勢を水平姿勢に戻そうとする上部メインロータのサイクリックピッチ入力によって左右いずれか一方向に旋回しようとする機体に対し、下部メインロータのブレードに入力するサイクリックピッチによるローリングモーメントの制御、および、上部メインロータと下部メインロータとの回転速度を変化させてヨー方向のトルクを発生することによるヨーイングモーメントの制御により、機体を前記一方向と逆方向に旋回させるための旋回力を与えて左右の旋回力をバランスさせて直進飛行を行わせるロータ制御部を備えるようにしている。
【００１５】
ここで、機体本体の側方を全周にわたって覆うダクトは、上部メインロータおよび下部メインロータ（以下、これら２つを合わせて二重反転ロータともいう）が回転するときに、二重反転ロータに対してダクトが接触しないように取り付けてあればよい。具体的には、二重反転ロータの下部メインロータ、あるいは、上下２つのメインロータがダクト内に収納されるように配置する場合は、ダクト内径がロータの回転半径より大きくなるように構成される。また、上下２つのメインロータがダクトより上側に配置する場合は、ダクト径と同じかダクト径より大きくしてもよい。
【００１６】
また、ピッチングプロペラを軸支する副回転軸は、機尾側ダクト近傍の位置で上方に向くようにして支持されるが、直接ダクトに支持されるように取り付けてもよいし、機尾側ダクトから後方に向かう尾翼（固定翼）を形成し、尾翼上で副回転軸が上方に向くようにして支持されるようにしてもよい。
【００１７】
本発明によれば、上下２つのメインロータ（二重反転ロータ）を回転して上向き推力を発生することで機体を浮上させる。この状態で、さらにピッチングプロペラを回転することにより、機首を下げ、機尾を上げるピッチングモーメント（頭下げモーメント）が発生し、機体が前傾するようになる。これにより、上下２つのメインロータによる推力の一部が水平方向の推力として利用することができるようになり、従来のサイクリックピッチにより生じる水平方向の推力に比べて大きな推力（例えば推力比１：１０）を利用できるようになる。
ところで、機体が前傾すると、主回転軸が前傾し、したがって上下２つのメインロータの回転面が水平面に対し傾斜することになる。一方、主回転軸に傾動自在に支持され、大きな慣性モーメントを有するスタビライザバーは、その回転面が水平状態を維持しようとする。その結果、スタビライザバーの回転面と上部メインロータの回転面は平行ではなくなる。このとき、リンクロッドが上部メインロータのブレードに入力するサイクリックピッチを調整することにより、上部メインロータの回転面を水平に戻そうとする復元力を発生させる。その結果、ピッチングプロペラの回転による前傾させようとする力と、上部メインロータ、リンクロッド、スタビライザバーによる前傾を水平に戻そうとする力がバランスした状態で飛行することになる。
このとき、上部メインロータが前傾姿勢を水平姿勢に戻そうとするサイクリックピッチ入力の副作用として、左右いずれか一方向に旋回しようとする力が機体に発生し、機体は左旋回または右旋回する現象が生じる。これは、スタビライザバーによる姿勢安定効果は、ホバリング時に機体が水平状態を維持できるようなサイクリックピッチが入力されるように、リンクロッドの取り付けを調整してあることによるもので、前進飛行で維持することを前提としていないことに起因する。
したがって、ロータ制御部が、下部メインロータのブレードに入力するサイクリックピッチ（横サイクリックピッチ）によるローリング制御、および、上部メインロータと下部メインロータとの回転速度を変化させてヨー方向のトルクを発生することによるヨーイングモーメントの制御により、左右の旋回力をバランスさせて直進飛行を行わせる。
【発明の効果】
【００１８】
本発明によれば、二重反転回転翼機であっても、メインロータの推力の一部を水平方向の移動の推力として利用するので、これまでの機体に比べて、十分に大きな前進推力で水平方向に移動することができ、風の影響を受ける環境でも、大きな推力で風に対抗しつつ飛行することができる。そして、本発明によれば、前進飛行の際に、ピッチングプロペラの回転により、機体が前傾姿勢で飛行することになるが、その際、スタビライザバー、リンクロッド、上部メインロータによる姿勢安定機能の副作用として、左右いずれか一方向の旋回力が生じるが、これをロータ制御部が下部メインロータに入力するサイクリックピッチ（横サイクリックピッチ）によるローリングモーメントの制御、および、上部メインロータと下部メインロータとの回転速度の変化によるヨーイングモーメントの制御によりバランスさせることで、直進飛行させることができる。
【００１９】
（他の課題を解決するための手段および効果）
上記発明において、ロータ制御部が、下部メインロータのブレードに入力するサイクリックピッチによるローリングモーメントの制御、および、上部メインロータと下部メインロータとの回転速度を変化させてヨー方向のトルクを発生することによるヨーイングモーメントの制御により与える逆方向の旋回力の大きさは、ピッチングプロペラの回転速度に応じて比例制御（Ｐ制御）されるようにしてもよい。
機体は、ピッチングプロペラの回転速度に応じて前傾角が制御され、前傾角に応じて、前進速度が変化する。旋回の大きさは、前進速度に比例するので、ピッチングプロペラの回転速度に比例するように逆方向の旋回力の大きさを制御することにより、前進速度に依存することなく、直進飛行をすることが可能になる。
【００２０】
また、別の観点からなされた本発明の二重反転回転翼機は、上方と下方とが開口し側方が全周にわたってダクトで囲われた機体本体と、機体本体から上方に延びる主回転軸に沿って同軸上に支持され、主回転軸の回りを互いに反対方向に回転する上部メインロータおよび下部メインロータと、慣性モーメントを大きくするための錘が両端に装着された棒状体からなり、棒状体の中心が主回転軸の上端において主回転軸に対して傾動自在に支持されるスタビライザバーと、スタビライザバーが上部メインロータのブレードに対して適宜な交差角度を保ってブレードと一体に回転し得るように、スタビライザバーと上部メインロータとを連結するリンクロッドとを備え、飛行中に慣性モーメントにより水平に維持しようとするスタビライザバーの回転面に対して上部メインロータの回転面が傾斜したときに、リンクロッドが上部メインロータのブレードに入力するサイクリックピッチによって、上部メインロータの回転面を水平に戻そうとする復元力を発生させるようにした二重反転回転翼機において、機尾側ダクト近傍に取り付けられ、上方に向けて延びる副回転軸に支持されるピッチングプロペラと、目標地点の空間座標を記憶する目標地点情報記憶部と、機体に取り付けたＧＰＳ受信機からのＧＰＳ信号により現在地点の空間座標のうち少なくとも水平成分を検出する現在地点検出部と、目標地点の空間座標の水平成分と現在地点の空間座標の水平成分とに基づいて、機体を移動させようとする水平方向の目標方位および目標地点までの水平距離を算出する水平変位算出部と、機首の現在の方位を検出する方位センサと、上部メインロータおよび下部メインロータの回転速度を変化させることにより機首の現在方位が水平方向の目標方位に向くように制御するヨー角コマンドを発生するとともに、ピッチングプロペラの回転速度を目標地点までの水平距離に比例するように変化させて上部メインロータおよび下部メインロータによる水平方向の推力を制御することにより機体の水平方向の位置を制御する水平位置コマンドを発生するロータ制御部を備え、さらにロータ制御部は、ピッチングプロペラにより機体を前傾姿勢で飛行させるときに、前傾姿勢を水平姿勢に戻そうとする上部メインロータのサイクリックピッチ入力によって左右いずれか一方向に旋回しようとする機体に対し、下部メインロータのブレードに入力するサイクリックピッチによるローリングモーメントの制御、および、上部メインロータと下部メインロータとの回転速度を変化させてヨー方向のトルクを発生することによるヨーイングモーメントの制御を行うことにより、機体を前記一方向と逆方向に旋回させるための旋回力を与えて左右の旋回力をバランスさせて直進飛行を行わせるようにしている。
【００２１】
本発明によれば、予め、目標地点情報記憶部に目標地点の空間座標が記憶される。目標地点の空間座標が記憶された状態で機体を飛行させると、飛行中は、人工衛星から送られてくるＧＰＳ信号をＧＰＳ受信機が受信し、機体の現在地点を示す空間座標を時々刻々検出する。水平変位算出部は、記憶された目標地点の空間座標の水平成分と検出した現在地点の空間座標の水平成分とに基づいて、機体を移動させようとする水平方向の目標方位および目標地点までの水平距離を算出する。また、方位センサは、機首の現在の方位を検出する。
【００２２】
そして、ロータ制御部は、まず、水平方向の目標方位に機首方向を一致させるヨー角コマンドを発生する。ヨー角コマンドは、上部メインロータの正方向回転速度と下部メインロータの逆方向回転速度の相対的な速度を変えることにより、ヨー方向のトルクを発生させて、機首の方向を回転させるヨー角制御を行う。なお、ヨー角制御の際に、上下２つのメインロータ（二重反転ロータ）による上向きの推力（揚力）の総和が変わらないようにしつつ、上部メインロータと下部メインロータとの相対的な回転速度を変化するようにすれば、現在の高度を維持させることになり、逆に、上向き推力（揚力）の総和を変えつつ相対的な回転速度を変化するようにすれば機体を昇降させることになるので、ヨー角制御とともに、必要に応じて高度制御も行う。
【００２３】
ヨー角制御に続いて、ロータ制御部は、機体の水平方向の位置を制御する水平位置コマンドを発生する。水平位置コマンドは、ピッチングプロペラの回転速度を増すことにより、機尾を上げ、機首を下げるピッチングモーメント（頭下げモーメント）を発生させる制御を行う。これにより、機体は前方に傾斜するようになり、上下２つのメインロータ（二重反転ロータ）による上向き推力（揚力）は、その一部が、水平方向の推力となる。この水平方向の推力は、機体の前傾角に依存して変化するので、目標地点までの水平距離に比例してピッチングプロペラの回転速度を変化させる制御を行う。これにより、強い風の影響を受けて機体が遠くに流されるときには、強い水平方向の推力で目標地点に戻そうとするようになる。メインロータに発生する水平方向の推力は、メインロータのブレードにサイクリックピッチを入力するにより生じる推力に比べてはるかに大きい（例えば推力比が１０：１）。したがって、風の影響を受ける環境下でも、環境に応じた推力で機体を目標地点に正確に近づけることができる。なお、風の影響がない場合には、従来に比べて前進速度を大きくすることができる。
【００２４】
しかしながら、機体が前傾すると、主回転軸が前傾し、したがって上下２つのメインロータの回転面が水平面に対し傾斜することになる。一方、主回転軸に傾動自在に支持され、大きな慣性モーメントを有するスタビライザバーは、その回転面が水平状態を維持しようとする。その結果、スタビライザバーの回転面と上部メインロータの回転面は平行ではなくなる。このとき、リンクロッドが上部メインロータのブレードに入力するサイクリックピッチを調整することにより、上部メインロータの回転面を水平に戻そうとする復元力を発生させる。その結果、ピッチングプロペラの回転による前傾させようとする力と、上部メインロータ、リンクロッド、スタビライザバーによる前傾を水平に戻そうとする力がバランスした状態で飛行することになる。
このとき、上部メインロータが前傾姿勢を水平姿勢に戻そうとするサイクリックピッチ入力の副作用として、左右いずれか一方向に旋回しようとする力が機体に発生し、機体は左旋回または右旋回する現象が生じる。
したがって、ロータ制御部が、上記制御に加えて、下部メインロータのブレードに入力するサイクリックピッチ（横サイクリックピッチ）によるローリングモーメントの制御、および、上部メインロータと下部メインロータとの回転速度を変化させてヨー方向のトルクを発生することによるヨーイングモーメントの制御で左右の旋回力をバランスさせて直進飛行を行わせる。
【００２５】
本発明によれば、前進飛行の際に、ピッチングプロペラの回転により、機体が前傾姿勢で飛行することになるが、その際、スタビライザバー、リンクロッド、上部メインロータによる姿勢安定機能の副作用として、左右いずれか一方向の旋回力が生じてしまうが、これをロータ制御部が下部メインロータに入力するサイクリックピッチ（横サイクリックピッチ）によるローリングモーメントの制御、および、上部メインロータと下部メインロータとの回転速度を変化させてヨー方向のトルクを発生することによるヨーイングモーメントの制御によりバランスさせることで、直進飛行をさせることができる。
【００２６】
また、上記発明において、機体に取り付けた高度計からの高度信号により現在地点の空間座標の高度成分を検出する現在高度検出部と、目標地点の空間座標の高度成分と現在地点の空間座標の高度成分とに基づいて高度差を算出する垂直変位算出部とをさらに備え、ロータ制御部は、ヨー角コマンドと水平位置コマンドの発生に加えて、上部メインロータおよび下部メインロータの回転速度を変化させることにより機体の現在高度が目標高度に一致するように制御する高度コマンドを発生するようにしてもよい。
本発明によれば、水平移動だけでなく、垂直方向についても予め設定した所望の高度に移動させ、所望の高度に制御した状態で安定したホバリングを行うことができる。
【発明を実施するための最良の形態】
【００２７】
以下、本発明の実施形態について、図面を用いて説明する。なお、以下に説明する実施例は、一例にすぎず、本発明の要旨を逸脱しない範囲で変形実施することが可能である。
【００２８】
（機体構造）
図１は、本発明の一実施形態である小型二重反転回転翼機の機体構造を示す斜視図であり、図２はその正面図（説明の便宜上、ダクトの一部を破断して示す）である。
この小型二重反転回転翼機１０は、主に、制御機器、駆動機構を搭載しダクト２１で囲まれた機体本体１１と、機体本体１１の上方に配置され、上部メインロータ２２、下部メインロータ２３、スタビライザバー２４を有する回転翼機構１２と、機体本体１１の機尾側ダクト２１ａの後方に配設される垂直尾翼４１およびピッチングプロペラ４２を有する後部機構１３とから構成される。
【００２９】
機体本体１１は円筒状のダクト２１で側面全周が囲まれるとともに、機体本体１１の上面と下面とが開口になっている。このダクト２１は、できるだけ機体重量を軽くするために、例えば薄い肉厚の発泡スチロールを使用している。ダクト２１の外径は、上下２つのメインロータの回転半径とほぼ等しい大きさにしてあり、機体の占有面積に対する推力比が、できるだけ大きくなるようにしてある。ダクト２１は、二重反転回転翼機構１２により発生した下降流を整流して、上向き推力（揚力）を制御しやすくするとともに、離着陸の際に二重反転回転翼機構１２が人体や地上の物体と接触するのを防ぐ役割を果たす。さらに、ダクト２１はこれら以外に、スタビライザバー２４による姿勢制御作用に関係して、重要な役割を果たすが、これについては後述する。
【００３０】
機体本体１１中心（ダクト２１の中心軸線上）には、内軸２５および外軸２６からなる同軸形状の主回転軸２７が、フレーム１４および図示しない軸受けによって回転可能に支持されている。
【００３１】
内軸２５は、その下端側で、ダクト２１内に取り付けられたモータ２８からの回転動力がギヤ２９を介して伝達されるようにしてある。内軸２５の上端より少し下側では、上部メインロータ２２の一対のブレード２２ａが、ブレード傾動機構２２ｂを介して軸支されるようにしてあり、モータ２８の駆動により、一方向（正方向とする）の回転が行われるようにしてある。また、内軸２５の上端には、スタビライザバー２４が傾動自在に軸支されている。このスタビライザバー２４の両端には、錘が取り付けてあり、これによりスタビライザバー２４の慣性モーメントが大きくなるようにしてある。
【００３２】
スタビライザバー２４と上部メインロータ２２のブレード傾動機構２２ｂとは、リンクロッド３１で連結してある。このリンクロッド３１は、姿勢制御作用を奏するためのものであり、スタビライザバー２４と上部メインロータ２２とが適宜な交差角度を保つようにして回転するようにしてある。ここでいう適宜な交差角度は、機体本体１１の径、上部メインロータ２２の長さ、スタビライザバー２４の錘の重量等との関係で定められるものであり、実測により最適な値に設定されるが、機能的には、ホバリング状態（空中停止状態）で機体に外力が作用し、機体が傾斜したときに機体の姿勢が水平に復元するようなサイクリックピッチが入力されて復元力が生じるような交差角度である。
【００３３】
ここで、姿勢制御作用について説明する。スタビライザバー２４および上部メインロータ２２は、ピッチングプロペラ４２と、ダクト２１との組み合わせによる姿勢制御により、機体を進行方向に傾斜させた状態で姿勢安定効果が発揮されるようにしてある。すなわち、図６に示すように、前進飛行時に、ダクト２１の円筒面に風の抵抗力Ｎが作用することにより生じる機体重心Ｇ周りの頭下げモーメントＭ１およびピッチングプロペラ４２による頭下げモーメントＭ３と、スタビライザバー２４、リンクロッド３１、上部メインロータ２２による機体を水平姿勢に戻そうとする重心Ｇ周りの復元モーメントＭ２の作用とがバランスすることにより、機体が傾斜した状態で安定に前進飛行できるようになっている。
【００３４】
外軸２６は、その下端側で、ダクト２１内に取り付けられたモータ３２からの回転動力がギヤ３３を介して伝達されるようにしてある。外軸２６の上端では、下部メインロータ２３の一対のブレード２３ａがブレード傾動機構２３ｂを介して軸支されるようにしてあり、モータ３２の駆動により上部メインロータ２２とは反対方向（逆方向とする）の回転が行われるようにしてある。
【００３５】
また、機体本体１１内（ダクト２１内）には、下部メインロータ２３のブレード２３ａに、機体の移動方向制御のためのサイクリックピッチを入力するための２つのサーボモータ３４、３５が設けられている。下部メインロータ２３に与えるサイクリックピッチは、これらのサーボモータによって動かされる図示しないロッドを介して入力される。なお、これら主回転軸２７（内軸２５、外軸２６）、上部メインロータ２２、下部メインロータ２３、スタビライザバー２４、リンクロッド３１等を含む回転翼機構１２のメカニカルな構成部分は、例えば、ヒロボー社製ＸＲＢ機（ラジコンヘリコプタ）のものを利用することができる。
【００３６】
さらに機体本体１１には、上記以外に各種センサ、具体的には、気圧測定により機体高度を測定する高度計３７、衛星からのＧＰＳ信号により位置情報を得るＧＰＳセンサ３８ａ（ＧＰＳ受信機）、地磁気測定により機体の向きを測定する方位センサ３８ｂ、さらには、制御装置３９、バッテリ４０、および、操縦信号を受信するラジコン受信機４６が取り付けられている。
【００３７】
機体本体１１の機尾側ダクト２１ａには、後方に向けて垂直尾翼４１が固定してある。また、垂直尾翼４１の上端には、上部メインロータ２２および下部メインロータ２３と接触しない位置で、これらと平行に回転する小さなピッチングプロペラ４２および駆動モータ４３が取り付けられている。このピッチングプロペラ４２は、機体本体１１に対して機尾側を持ち上げるピッチングモーメント（頭下げモーメント）を与えることにより、機体本体１１を前方に傾斜させ、上部メインロータ２２、下部メインロータ２３による上向き推力の一部を、前進用の推力として利用できるようにしてある。
【００３８】
また、垂直尾翼４１の左右両側面には一対の傾斜尾翼４４が取り付けられている。この傾斜尾翼４４は、機尾側を持ち上げ、機首側を下げた状態で機体が前進するときに、傾斜尾翼４４の翼面がほぼ水平状態になるように傾斜角が設定してある。具体的には、例えば機体本体１１が、水平面から４５度前傾した状態で前進することを基準にして設計しているときは、傾斜角が−４５度になるように取り付けてある。この傾斜尾翼４４と垂直尾翼４１との存在により、機体が前進飛行する際のピッチ方向、ロール方向安定性が改善されるようになる。
なお、機体本体１１内に機体の傾斜角を測定するセンサを設け、機体の傾斜角に応じて傾斜尾翼の角度が常に水平になるようにする傾斜角調整機構を備えるようにしてもよい。このようにすれば、機体の傾斜角に応じて、傾斜尾翼の角度を最適な値に維持することができ、機体の傾斜角度によらず、さらに安定な前進飛行を実現することができるようになる。
【００３９】
（制御系）
次に、小型二重反転回転翼機１０の制御系について説明する。図３は、小型二重反転回転翼機１０の制御系の構成、および、制御系を構成する各部の入出力制御信号を説明するための機能ブロック図である。また、図４は制御に用いる測定データや算出データの関係を説明する図である。
【００４０】
制御系は、機体本体１１内に搭載された制御装置３９からの制御信号により制御を行うマイコン制御系Ａの他に、回転翼機構１２のスタビライザバー２４、リンクロッド３１の働きによるメカニカルな連携動作により、制御を行うメカニカル制御系Ｂを有している。これら２つの制御は独立して行われるものであり、主としてマイコン制御系Ａが機体の誘導制御を行い、メカニカル制御系Ｂが機体の姿勢制御を行うものであるが、両者の作用が競合するように作用したり、補完するように作用したりすることもある。
【００４１】
図３に示すように、小型二重反転回転翼機１０のマイコン制御系Ａは、各種演算、処理を実行するマイコン（ＣＰＵ）３９ａおよび必要な情報を記憶するメモリ３９ｂからなる制御装置３９と、高度計３７と、ＧＰＳセンサ３８ａと、方位センサ３８ｂと、操縦者が手動で（すなわちラジコン送信機４７の操作で）機体を操縦するときに、操縦信号を受信するラジコン受信機４６とにより構成される。一方、メカニカル制御系Ｂはスタビライザバー２４と、リンクロッド３１と、上部メインロータ２２とにより構成され、さらにダクト２１がメカニカル制御系Ｂに関係する。
【００４２】
マイコン制御系Ａのマイコン３９ａおよびメモリ３９ｂが実行する処理や機能を機能ブロックごとに説明すると、メモリ３９ｂは目標地点情報記憶部６１を備え、マイコン３９ａは現在地点検出部５１、水平変位算出部５２、現在高度検出部５３、垂直変位算出部５４、ロータ制御部５５とを備えている。
【００４３】
目標地点情報記憶部６１は、機体を到達させようとする目標地点Ｐの空間座標として、経度、緯度、高度からなる空間座標（Ｘ，Ｙ，Ｚ）を記憶する。このうち経度（Ｘ座標）と緯度（Ｙ座標）とが空間座標の水平成分であり、高度（Ｚ座標）が高度成分である。なお、この空間座標の設定は、図示しないパーソナルコンピュータと制御装置３９とを接続してキーボードからの入力操作により行うことができるようにしてある。
【００４４】
現在地点検出部５１は、ＧＰＳセンサ３８ａにより受信したＧＰＳ信号により、現在、機体が存在する位置Ｑ（現在地点Ｑという）の経度、緯度、高度からなる空間座標（ｘ、ｙ、ｚ）を検出する。
水平変位算出部５２は、目標地点Ｐの座標（Ｘ，Ｙ，Ｚ）の水平成分である（Ｘ，Ｙ）と、現在地点Ｑの座標（ｘ，ｙ，ｚ）の水平成分である（ｘ，ｙ）とに基づいて、機体を移動させようとする水平方向の目標方位（θ）および目標地点までの水平距離（Ｌ）を算出する演算を行う。
【００４５】
現在高度検出部５３は、高度計３７により測定した高度信号により、現在、機体が存在する現在高度（ｚ）を検出する。なお、現在高度は、ＧＰＳセンサ３８ａから得ることもできるが、精度や信頼性の観点からＧＰＳセンサ３８ａとは別に設けた高度計３７からの高度情報を用いる方がより好ましい。
垂直変位算出部５４は、目標地点Ｐの座標（Ｘ，Ｙ，Ｚ）の高度成分である（Ｚ）と、現在地点Ｑの座標（ｘ，ｙ，ｚ）の高度成分である（ｚ）とに基づいて、目標地点までの高度差（Ｈ）を算出する演算を行う。
【００４６】
ロータ制御部５５は、算出された水平方向の目標方位（θ）、目標地点までの水平距離（Ｌ）、目標地点までの高度差（Ｈ）のデータおよび方位センサで求めた現在の機首方位（ψ）に基づいて、高度コマンド、ヨー角コマンド、水平位置コマンド（前進速度コマンド）を生成し、さらに高度計３７、ＧＰＳセンサ３８ａ、方位センサ３８ｂから時々刻々送られてくる信号を検出して、各コマンドを更新するフィードバック制御を行うことにより、上部メインロータ２２の回転速度、下部メインロータ２３の回転速度、ピッチングプロペラ４２の回転速度、下部メインロータ２３に入力するサイクリックピッチ（縦フラップのためのサイクリックピッチ）を適宜制御することにより、機体高度の制御、機体進行方向の制御、機体水平位置（風のないときは水平位置とともに機体前進速度）の制御を行う。
【００４７】
以上が、マイコン制御系Ａによる誘導制御であるが、スタビライザバー２４によるメカニカル制御系Ｂが作動する機体では、機体の旋回に対する制御を追加的に実行するようにしている。
すなわち、前進飛行のためにピッチングプロペラ４２が作動し、さらにダクト２１が前方から風の抵抗を受けることにより、機体は水平状態から前傾状態になるので、メカニカル制御系Ｂが作用し、図６で説明したように、スタビライザバー２４がリンクロッド３１を介して上部メインロータ２２にサイクリックピッチを入力するようになる。これにより機体の姿勢を、傾斜状態から水平状態に戻そうとする方向の復元モーメントが別途に働くようになる。その結果、マイコン制御系Ａによる機体を傾斜させようとする作用と、メカニカル制御系Ｂによる水平状態に復元しようとする作用とが競合するようになり、これらがバランスして、機体を少し傾斜させた状態で前進飛行が行われることになる。
【００４８】
ところで、メカニカル制御系Ｂを構成するスタビライザバー２４とリンクロッド３１と上部メインロータ２２との関係は、既述のように、機体が傾斜したとき、これを水平状態に戻すような復元モーメントが生じるようにサイクリックピッチが入力されるようにしてあり、ホバリング状態（空中停止状態）のときに、最適に水平が維持されるように設計されている。そのため、マイコン制御系Ａとメカニカル制御系Ｂとが競合し、機体が傾斜した状態でバランスを保ちつつ前進飛行するときには、必ずしも安定した前進飛行を行わせるためのサイクリックピッチが、上部メインロータ２２に入力されるようには設計されておらず、むしろ、不完全なサイクリックピッチが入力されるようになってしまっている。具体的には、傾斜状態での前進飛行時に、スタビライザバー２４およびリンクロッド３１が上部メインロータ２２に入力するサイクリックピッチは、前進飛行の推力の増加とともに、機体を一方向に旋回させる作用が増大するようになる。この旋回方向は、スタビライザバー２４がリンクロッド３１により連結されている上部メインロータ２２の回転方向やリンクロッド３１の取り付け方等の条件により、右旋回か左旋回かのいずれかに決定されるが、ここでは、便宜上、左旋回するものとする。
したがって、マイコン制御系Ａのロータ制御部５５は、上述した誘導制御に加えて、機体を傾斜させた状態で前進飛行する際に生じる左旋回を打ち消すために、下部メインロータ２３に入力するサイクリックピッチ（横フラップのためのサイクリックピッチ）によりローリングモーメントの制御を行い、さらに、上部メインロータと下部メインロータとの回転速度を変化させてヨー方向のトルクを発生することによりヨーイングモーメントの制御を行うことにより、左旋回とバランスする右旋回を与える制御が付加されるようにしている。
【００４９】
次に、マイコン制御系Ａによる具体的な制御動作について説明する。図５は、ロータ制御部５５が生成した高度コマンド、ヨー角コマンド、水平位置コマンド（前進速度コマンド）により実行される機体誘導のためのフィードバック制御を説明する図である。
【００５０】
（高度制御）
目標地点Ｐの座標（Ｘ，Ｙ，Ｚ）の高度成分である（Ｚ）と、現在地点Ｑの座標（ｘ，ｙ，ｚ）の高度成分である（ｚ）とに基づいて、目標地点までの高度差（Ｈ）が算出されると、目標高度までの高度差（Ｈ）に応じた垂直方向の推力（スラスト）が発生するように、上部メインロータ２２および下部メインロータの回転速度を制御する高度コマンドを生成する。このとき、上部メインロータ２２の回転速度と下部メインロータ２３の回転速度とのバランスをとるようにして、ヨー方向の回転力（トルク）が発生しないようにする。そして、高度コマンドは、機体の高度計３７から時々刻々送られてくる最新の高度信号に基づいて算出した高度差（Ｈ）を用いて、ＰＤ制御によるフィードバック制御を行う。これにより、主としてＰ制御の成分により目標高度（Ｚ）に近づくようになり、さらにＤ制御成分により急激な変動に対する応答性を高めるようにしている。
【００５１】
（ヨー角制御）
目標地点Ｐの座標（Ｘ，Ｙ，Ｚ）の水平成分である（Ｘ，Ｙ）と、現在地点Ｑの座標（ｘ，ｙ，ｚ）の水平成分である（ｘ，ｙ）とに基づいて、機体を移動させようとする水平方向の目標方位（θ）が算出されると、算出された水平方向の目標方位（θ）に機首方向が一致するようにヨー角制御を行うヨー角コマンドを生成する。すなわち、方位センサ３８ｂで現在の機首方位（ψ）を検出し、水平方向の目標方位（θ）との方位差（φ）を算出し、方位差（φ）が零に近づくように上部メインロータ２２の回転速度と、下部メインロータ２３の回転速度を制御してヨー方向の回転力（トルク）を発生するコマンドを生成する。このとき、垂直方向の推力（スラスト）が変化しないように上部メインロータ２２の回転速度と下部メインロータの回転速度とのバランスをとるようにする。そして、ヨー角コマンドは、機体内の方位センサ３８ｂから時々刻々送られてくる最新の機首方位の信号（ψ）に基づいて算出した方位差（φ）を用いて、ＰＤ制御によるフィードバック制御を行う。
【００５２】
（水平位置制御）
ヨー角制御に続いて、目標地点Ｐの座標（Ｘ，Ｙ，Ｚ）の水平成分である（Ｘ，Ｙ）と、現在地点Ｑの座標（ｘ，ｙ，ｚ）の水平成分である（ｘ，ｙ）とに基づいて水平距離（Ｌ）が算出されると、水平距離（Ｌ）が零に近づくように水平位置を制御する水平位置コマンド（前進速度コマンド）を生成する。この水平位置コマンド（前進速度コマンド）は、ピッチングプロペラ４２の回転速度と、下部メインロータ２３の縦フラップのためのサイクリックピッチ（従来からなされている前進飛行推力発生のためのサイクリックピッチ制御）と、下部メインロータ２３の横フラップのためのサイクリックピッチとの３つを制御する。
【００５３】
すなわち、水平位置コマンド（前進速度コマンド）は、第一に、ピッチングプロペラ４２の回転速度を制御して機体の傾斜角を制御することにより、上部メインロータ２２、下部メインロータ２３（二重反転ロータ）による推力の一部を水平方向の推力として利用するとともに、その推力の制御を行う。第二に、下部メインロータ２３の縦フラップのサイクリックピッチ入力を制御し、水平方向の推力の制御を行う。これら２つの推力は、前者に比べると後者はかなり小さい（例えば推力比が１０：１）が、両者を足し合わせることで、できるだけ大きな推力をもって前進できるようにする。
【００５４】
また、水平位置コマンド（前進速度コマンド）は、第三に、下部メインロータ２３の横フラップのためのサイクリックピッチを入力してローリングモーメントを制御し、同時に、上部メインロータと下部メインロータとの回転速度を変化させてヨー方向のトルクを発生することによりヨーイングモーメントの制御するが、これらは既述したように、スタビライザバー２４による姿勢制御の影響で機体が左旋回する現象を抑えて、まっすぐに前進させるための横フラップのサイクリックピッチ入力を与える制御を行うものである。
左旋回現象は、ピッチングプロペラの回転速度が大きくて機体の傾斜角が大きいほど、すなわち、水平位置コマンド（前進速度コマンド）が大きいほど、旋回の大きさが大きくなる傾向があるので、ローリングモーメント制御のために行われる下部メインロータ２３の横フラップのためのサイクリックピッチ入力、および、ヨーイングモーメント制御のための上部メインロータ２２と下部メインロータ２３に対する回転速度変化も、水平位置コマンドに応じた制御を行うようにする。
【００５５】
そして、水平位置コマンドは、ＧＰＳセンサ３８ａからの最新の現在地点Ｑの位置情報に基づいて算出した最新の水平距離（Ｌ）を用いて、Ｐ制御（比例制御）によるフィードバック制御を行う。Ｐ制御によるフィードバック制御を行うことにより、目標地点からの距離が遠ざかるほど、水平方向の推力を強くすることができる。これにより、風が強いほど機体が流され、目的地点からの水平距離が遠くなる傾向があるが、水平距離に比例して推力が与えられるので、風が強い場合でも推力も大きくすることで、目的地点に到達させることができる。一方、風のないときは、水平距離に比例した前進速度で目的地点に近づくように制御されるので、迅速かつ容易に目的地点に到達することができる。
【００５６】
（総合制御）
マイコン制御系Ａは、高度コマンド、ヨー角コマンド、水平位置コマンドによる機体誘導（左旋回現象に対する制御も含む）を同時並行的に行うが、これとは別に操縦者がラジコン送信機４２から操縦コマンドを送ることにより、ラジコン受信機４１が操縦信号を受信したときは、図５に示すように、高度コマンド、ヨー角コマンド、水平位置コマンドに対し、操縦コマンドが足し合わされた制御が行われるようになる。このように、手動コントロールも並行して行えるようにすることにより、突発的な変化があった場合でも手動で対処できるようにしてある。
【００５７】
手動コントロールを行う場合に、ピッチングプロペラの回転速度を制御することにより、機体の傾斜角が変化し、これにより水平方向の推力が変化して前進速度を制御することができるが、前進速度に応じて、左旋回現象についても旋回の大きさが変化するので、下部メインロータの横サイクリックピッチ入力および上部メインロータ２２と下部メインロータ２３に対する回転速度変化により与える右方向の旋回力の大きさを、ピッチングプロペラの回転速度に対応して比例制御するようにする。これにより、前進速度がどのように変化しても、常に、適切な右旋回力を与えることができ、左右の旋回力のバランスがとれて直進飛行を実現させることができる。
【００５８】
本実施形態では、水平方向と高度方向とを制御するため立体的な目標地点Ｐを定めたが、例えば、一定高度で飛行した場合にように、水平方向のみを制御するときは高度方向の制御は行わないようにしてもよい。
【産業上の利用可能性】
【００５９】
本発明は、無人用の二重反転回転翼機に利用することができる。
【図面の簡単な説明】
【００６０】
【図１】本発明の一実施形態である二重反転回転翼機の斜視図。
【図２】本発明の一実施形態である二重反転回転翼機の構成を示す正面図（ダクトの一部を破断して中を示している）。
【図３】制御系の構成を示すブロック構成図、および、制御系を構成する各部で入出力される制御信号を説明するための機能ブロック図。
【図４】制御に必要な測定データや算出データの関係を説明する図。
【図５】本発明の一実施形態である二重反転回転翼機のマイコン制御系における機体誘導のためのフィードバック制御を説明する図。
【図６】スタビライザバーとダクトによる姿勢制御作用を説明する図。
【図７】スタビライザバーによる姿勢制御作用を説明する図。
【符号の説明】
【００６１】
１０：  小型二重反転回転翼機
１１：  機体本体
１２：  回転翼機構
１３：  後部機構
２１：  ダクト
２２：  上部メインロータ
２３：  下部メインロータ
２４：  スタビライザバー
２５：  内軸
２６：  外軸
２７：  主回転軸
３１：  リンクロッド
３７：  高度計
３８ａ：  ＧＰＳセンサ
３８ｂ：  方位センサ
３９：  制御装置
４１：  垂直尾翼
４２：  ピッチングプロペラ
４４：  傾斜尾翼
５１：  現在地点検出部
５２：  水平変位算出部
５３：  現在高度検出部
５４：  垂直変位算出部
５５：  ロータ制御部
６１：  目標地点情報記憶部
【図１】
2008094277.tif 000003
【図２】
2008094277.tif 000004
【図３】
2008094277.tif 000005
【図４】
2008094277.tif 000006
【図５】
2008094277.tif 000007
【図６】
2008094277.tif 000008
【図７】
2008094277.tif 000009